(57)【特許請求の範囲】
【請求項１】
モータを有する駆動部と、
この駆動部により回転される回転台及びこの回転台に設けられた複数の施療子を有する回転施療体と、
この回転施療体によりマッサージされる使用者の被マッサージ部を境に前記回転施療体と反対側に配置され、エアーが給排気されることにより繰り返し膨張・収縮可能であって、その膨張時に前記被マッサージ部を前記施療子に押付けるエアーバッグと、
耐摩耗性を有しかつ変形可能な材料からなり、前記回転施療体を覆って設けられるとともに、裏面に前記各施療子が接するカバーシートと、
前記エアーバッグを所定回数繰返し膨張・収縮させる制御をするとともに、前記エアーバックの膨張が維持されている状態で前記モータの回転方向が逆となるように制御する制御部と、
を具備し、
前記エアーバックを繰り返し膨張・収縮させながら、前記回転施療体を回転させることを特徴とするマッサージ具。
【請求項２】
前記エアーバックの膨張によって前記被マッサージ部が押付けられたことを検出して前記モータを動作させる検出機構を備えたことを特徴とする請求項１に記載のマッサージ具。
【請求項３】
前記検出機構が、ばねと、このばねの力によって前記カバーシートの裏面に押付けられる検出棒と、この検出棒の下降を検出してオンされて前記モータを動作させる検出スイッチとを備えていることを特徴とする請求項２に記載のマッサージ具。
【発明の詳細な説明】
【０００１】
【発明の属する技術分野】
本発明は、使用者の手の平や足裏等をマッサージするためのマッサージ具に関する。
【０００２】
【従来の技術】
身体の一部、特に四肢の部分的マッサージに適するものとしてオットマンと通称されているマッサージャが提供されている。このものは図７に示されるように、一対の腕部１、２をハンドル３で接続してコ字形に形成されたマッサージャ本体４を備え、両腕部１、２間に回転施療体５を配置して形成されている。一方の腕部２内には図示しないが正逆回転可能なモータ及びこのモータの速度コントロール等をなす制御部が内蔵され、前記腕部２の前面は操作パネルとなっていて、そこには各種の操作スイッチ類などが設けられている。
【０００３】
全体の印象として横長の円筒形かご構造なす回転施療体５は、長手方向両端部及び中間位置に夫々配置されたリング部材を図示しない連結軸により互いに連結して形成されて前記モータの動力で回転される回転台６と、相対向するリング部材にわたって取付けられた施療子としての多数のローラ７とを有している。各ローラ７は回転施療体５の周方向に一定間隔で設けられて、夫々のローラ７は長手方向に紡錘形状の大玉部と球形状の小玉部とを連続させてなるものであって、夫々水平な軸線回りに自由に回転できるようになっている。大玉部と小玉部の最大径は同じである。なお、図７中８は回転施療体５に取外し可能に被着された布カバーである。
【０００４】
このマッサージャは、例えばその回転施療体５の上に足裏又は脹脛或いは足首を載せた状態で使用される。それにより、回転台６の回転に伴って各ローラ７が個々に回転して、大玉部と小玉部とが回転施療体５上に載置された足裏等を刺激するから、疲労回復及び血行促進等のマッサージ効果を得ることができる。
【０００５】
【発明が解決しようとする課題】
しかし、前記構成のマッサージャでは、使用者が自ら意図的に足裏等を施療体に踏みつけるようにしない限り、足裏等を施療体に押付けることができないから、いわゆる指圧によるマッサージをすることができないという問題がある。しかも、前記構成のマッサージャは回転施療体５に足裏等を単に載せているだけであって、足裏等の被マッサージ部が容易に逃げ得るため、適正な強さのマッサージ効果を常に得ることは困難である。なお、そうするためには足裏などを強く押付ければよいが、そうすると、身体を緊張させる必要があるためマッサージ効果が損なわれてしまう。
【０００７】
又、前記構成のマッサージャの回転施療体５は水平な軸線の軸回りに回転するものであるから、そのローラ７の大玉部と小玉部とは、回転施療体５に当てられる足裏などの被マッサージ部の同一場所に当たって同場所を限定的にマッサージするに過ぎない。このようにマッサージ場所に変化がないから、回転施療体５が大きいにも拘わらず、足裏等を時々左右方向に動かさなければ足裏全体をマッサージすることができない。
【０００８】
したがって、本発明が解決しようとする課題は、身体の緊張を伴うことなく被マッサージ部を適正な強さでマッサージできるとともに、広範な部分をマッサージできるマッサージ具を得ることにある。
【００１２】
【課題を解決するための手段】
前記課題を解決するために、請求項１の発明は、モータを有する駆動部と、この駆動部により回転される回転台及びこの回転台に設けられた複数の施療子を有する回転施療体と、この回転施療体によりマッサージされる使用者の被マッサージ部を境に前記回転施療体と反対側に配置され、エアーが給排気されることにより繰り返し膨張・収縮可能であって、その膨張時に前記被マッサージ部を前記施療子に押付けるエアーバッグと、耐摩耗性を有しかつ変形可能な材料からなり、前記回転施療体を覆って設けられるとともに、裏面に前記各施療子が接するカバーシートと、前記エアーバッグを所定回数繰返し膨張・収縮させる制御をするとともに、前記エアーバックの膨張が維持されている状態で前記モータの回転方向が逆となるように制御する制御部と、を具備し、前記エアーバックを繰り返し膨張・収縮させながら、前記回転施療体を回転させることを特徴とするものである。
【００１５】
この請求項１の発明に係るマッサージ具は、回転施療体の回転台とエアーバックとの間に被マッサージ部を位置させるとともに、エアーバッグに対してエアーを繰り返し給排気してこのバッグを膨縮させながら、モータの動力で回転台を回転して使用される。そのため、エアーバッグが膨張するたびに、この膨張したエアーバッグが被マッサージ部を適正な力で回転台の施療子に押付けるものであり、この状態下において回転台の回転に伴って移動される複数の施療子が被マッサージ部を刺激してマッサージする。この場合、制御部は、前記エアーバッグを所定回数繰返し膨張・収縮させる制御をするとともに、前記エアーバックの膨張が維持されている状態で前記モータの回転方向が逆となるように制御する。
又、請求項１の発明においては、これに従属する請求項２の発明のように、前記エアーバックの膨張によって前記被マッサージ部が押付けられたことを検出して前記モータを動作させる検出機構を備えるとよい。
又、請求項２の発明においては、これに従属する請求項３の発明のように、前記検出機構が、ばねと、このばねの力によって前記カバーシートの裏面に押付けられる検出棒と、この検出棒の下降を検出してオンされて前記モータを動作させる検出スイッチとを備えるとよい。
【００２６】
【発明の実施の形態】
以下、図１〜図５を参照して本発明の第１の実施の形態を説明する。
【００２７】
図１〜図４に示されるように第１の実施の形態に係るマッサージ具２１は、それ自体で独立して使用可能なマッサージャをなすものであって、ボディ２２と、トップカバー２３と、駆動部２４と、回転施療体２５と、転動体保持手段としてのカバーシート２６と、エアーバッグ２７と、エアー給排気装置２８とを具備している。
【００２８】
図２及び図３等に示されるようにボディ２２は、例えば上面及び上部前面が開放された箱形状をなしているとともに、内部を前部室２２ａと後部室２２ｂとに仕切る隔壁２９を有している。後部室２２ｂはボディ２２の外部に連通されている。トップカバー２３はボディ２２の上面開口を塞いでボディ２２に取外し可能にねじ止め等により連結されている。このカバー２３とボディ２２とにより前面上部に手先部等の被マッサージ部用の挿入口３０を有した筐体が形成される。
【００２９】
前部室２２ａの底部には駆動部２４が収容配置されている。この駆動部２４は、図示しない正逆回転可能なモータ、及びこのモータの回転動力を減速する歯車列などの減速機構を有してユニット化されており、その出力回転軸３１は前部室２２の中心部に配置され上方に向けて突出されている。この回転軸３１には例えば図３に示されるように六角形状の非円形の軸が使用されている。
【００３０】
前部室２２ａに収容される合成樹脂製の回転施療体２５は、出力回転軸３１に取外し可能に接続されて、この回転軸３１と共に回転されるものである。この施療体２５は、図５等に示されるように下面が開放されたスカート状をなす施療体本体３２の上端面に回転台３３を設けるとともに、この台３３に施療子保持板３４で位置決めして複数の施療子３５ａ〜３５ｉを設け、かつ、施療体本体３２の内部に下方に突出する接続軸３６を一体に設けて形成されている。接続軸３６は図５（Ｂ）に示されるように六角形状の穴を有しており、この軸３６を出力回転軸３１の外側に嵌合させることにより回転施療体２５が出力回転軸３１に取付けられている。前記穴には図示しないばねが収容固定され、それにより、回転施療体２５が出力回転軸３１に接続された状態で、この施療体２５をばね力に抗して回転軸３１の軸方向に沿って下方へ押し下げ得るようになっている。なお、ばねを省略して回転施療体２５が下方に押し下げられないようにしてもよい。
【００３１】
施療子本体３２と一体に成形された回転台３３は円板形状であって、水平な姿勢に設けられている。施療子保持板３４は回転台３３よりも小径な円板形状であって、これは回転台３３の上面に、この上面から少し浮かせた水平な姿勢で回転台３３と同心的に取付けられている。なお、図中３４ａは回転台３３に連結される取付け用の脚である。この保持板３４には例えば円形の保持孔３４ｂが前記施療子３５ａ〜３５ｉの数に対応して例えば同数設けられている。各施療子３５ａ〜３５ｉは、ガラス玉等の球形の転動体からなり、各孔３４ｂに個別にかつ回転自在に収容されてこれらの孔３４ｂの夫々に位置決めされている。この位置決め状態で各施療子３５ａ〜３５ｉの上部は施療子保持板３４上に突出するとともに、下端を回転台３３の上面に接触させている。
【００３２】
なお、本発明は各保持孔３４ｂに施療子を一個のみ収容する構成には制約されず、各保持孔３４ｂに複数の施療子を収容してもよく、その場合、収容した複数の施療子相互が当たらないように各保持孔を略ひょうたん形状に代表されるように施療子の直径よりも広い広幅部と前記直径よりも狭い狭幅部とを複数連続させた形状にするとよい。又、各保持孔３４ｂは第１の実施の形態では各施療子の直径よりも少し大きな円形孔としたが、これに代えて、同じ円形孔でも施療子保持板３４の下面から上面側に向けて次第に径が小さくなるテーパ孔とするとともに、その最大孔径を施療子の直径よりやや大きく、かつ、最小孔径を施療子の直径よりも小さくしてもよい。このようにして実施する場合には、上端部側部分を保持孔３４ｂから突出させてこれらの孔３４ｂに個別に収容された施療子３５ａ〜３５ｉが、上方に抜け出ることを防止する転動体保持手段としての機能を施療子保持板３４に付与させることができる。そのため、必要により前記カバーシート２６を省略させることが可能である。
【００３３】
前記構成の回転施療体２５が出力回転軸３１に取付けられた状態では、回転施療体２５の押し下げに拘らずその施療子３５ａ〜３５ｉはその上部が前部室２２ａの上面開口から常に突出する状態に設けられるようになっている。
【００３４】
この回転施療体２５の構成において各施療子３５ａ〜３５ｉの内、施療子３５ｅは回転台３３の回転中心上に配置されるが、それ以外の施療子３５ａ〜３５ｄ、３５ｆ〜３５ｉはいずれも回転中心からずれて設けられている。しかも、施療子３５ａ、３５ｃ、３５ｇ、３５ｉは前記回転中心から等距離に夫々配置され、かつ、施療子３５ｂ、３５ｄ、３５ｆ、３５ｈは前記等距離よりも短い距離をもって前記回転中心から等距離に夫々配置されている。なお、本発明において中心に配置された施療子３５ｅは省略することも可能である。
【００３５】
又、第１の実施の形態では回転施療体２５の各施療子３５ａ〜３５ｉの突出高さをいずれも同じとしてあるが、本発明において各施療子３５ａ〜３５ｉは、図示しないが前記実施形態の構成に代えて突出高さが異なる施療子を複数含んでいてもよい。この場合、第１の実施の形態のような施療子３５ａ〜３５ｉの配置においては、中心位置の施療子３５ｅを最も高くするとともに、これからの距離が遠くなる位置にある施療子程低くするようにすれば、特に、手の平の窪み形状に適合してマッサージを好適なものとできる。しかも、施療子３５ｅの有無は別としても、回転台３３の回転中心から等距離に位置される（言い換えれば同一回転半径上に設けられる）施療子３５ａ、３５ｃ、３５ｇ、３５ｉのグループの中でも、同様に施療子３５ｂ、３５ｄ、３５ｆ、３５ｈのグループの中でも突出高さを異ならせてもよい。例えば、施療子３５ａ、３５ｉよりも施療子３５ｃ、３５ｇを高くするとともに、施療子３５ｂ、３５ｈよりも施療子３５ｄ、３５ｆを高くしてもよい。
【００３６】
前部室２２ａと後部室２２ｂの防塵のためにも使用される前記カバーシート２６は、前部室２２ａ及び後部室２２ｂの上面開口を覆って設けられる受板３７の上面全体に貼り付けて設けられている。受板３７には各施療子３５ａ〜３５ｉを突出させる円形の開口３７ａが開けられている。この開口３７ａを塞いだカバーシート２６は耐摩耗性に優れる合成樹脂製の薄いシートや布等の変形可能な材料で形成されている。このシート２６の前記開口３７ａを塞いだ部分は、回転施療体２５を上側から覆っていて、その裏面には各施療子３５ａ〜３５ｉの上端が夫々接触されている。したがって、各施療子３５ａ〜３５ｉは回転台３３とカバーシート２６とに接して回転されるようになっている。
【００３７】
図２及び図４に示されるようにカバーシート２６と駆動部２４との間にわたって検出手段をなす検出機構３８が設けられている。この機構３８は、カバーシート２６上へ被マッサージ部が押付けられたことを検出するために設けられ、前記隔壁２９の折れ曲がった上端部を貫通してカバーシート２６と駆動部２４との間にわたって上下動可能に配置された検出軸３９と、この軸３９を上方に付勢するばね４０と、駆動部２４内に設けられて検出軸３９の下降を検出してオンされる検出スイッチ４１とを備えている。ばね４０の力によって検出軸３９の上端はカバーシート２６の前記開口３７ａの近傍部分を押し上げて浮かしている。常開の検出スイッチ４１は前記駆動部２４が有するモータの駆動回路に挿入されていて、それが閉じることによってモータを駆動させるために設けられている。又、モータの駆動回路には前記トップカバー２３の操作部４２に設けられた電源スイッチ４３が挿入されている。したがって、これら両スイッチ４１、４３が共にオンされることによりモータが駆動されるようになっている。なお、操作部４２はボディ２２の前面、側面、又は後面等に設けてもよい。
【００３８】
前記エアーバッグ２７は、このバッグ２７の支えとしてのトップカバー２３で覆われて回転施療体２５の上方に配置されている。このバッグ２７はエアーが給排気されることにより膨張・収縮されるものであって、トップカバー２３により上方への膨張を妨げられて回転施療体２５方向への膨張が可能に設けられている。又、前記操作部４２にはエアーバッグ２７の膨張量を調節するための調節摘み４４が設けられている。なお、この実施の形態のように操作部４２をトップカバー２３に設ける構成によれば、後述のようにマッサージされる片手に対して操作部４２を操作する他方の片手が交錯することがないので、操作性がよい点で優れている。
【００３９】
このエアーバッグ２７にエアーを給排気するエアー給排気装置２８は前記後部室２２ｂに設置されている。これらトップカバー２３と、エアーバッグ２７と、エアー給排気装置２８とは、被マッサージ部押付け手段をなしている。この押付け手段によれば、押付け力をエアーバッグ２７の膨張で得るので、押付け部の構造が簡単である。
【００４０】
エアー給排気装置２８は、図示しないエアーポンプを有し、そのポンプ作動で吐出される圧縮エアーをエアーホース４５を介してエアーバッグ２７に導くようになっており、このホース４５の途中には、エアーバッグ２７を膨張させる際に閉じられ或いは適当な絞り開度に調節して開かれるとともに収縮させる際に開かれる電磁式の排気弁４６が接続されている。又、エアー給排気装置２８には図示しないが制御部が設けられていて、この制御部により前記排気弁４６及びエアーポンプ等の動作が所定のモードにしたがって制御される。この実施の形態においては、例えばエアーバッグ２７に圧縮エアーが供給されるエアー供給工程と、それに引続いて排気弁４６が所定時間閉じられる膨張維持工程と、この後排気弁４６が開かれてエアーが排出されるエアー排気工程とからなるサイクルを所定回数繰り返して実行させるようになっている。なお、この制御に組合わせて例えば１サイクル毎にその膨張維持工程において前記モータの回転方向が逆となるように制御部で制御するとよく、この場合、施療子３５ａ〜３５ｉによる刺激方向が交互に反転するので、よりマッサージ効果を高めることができる。
【００４１】
次に、前記構成のマッサージ具２１を用いて使用者の被マッサージ部（例えば手の平）をマッサージする場合を説明する。このマッサージ具２１の使用待機状態では、エアーバッグ２７は収縮しており、これは施療子３５ａ〜３５ｉを覆ったカバーシート２６の上方に待避して、相互間には手先部を差込み得る空隙がある。この状態で、図４中二点鎖線に示されるように使用者は前記空隙に手先部を差込む。
【００４２】
このように手先部がセットされ回転施療体２５上に支持された後、他方の片手で電源スイッチ４３をオン操作してエアー給排気装置２８を動作させることにより、エアーがエアーホース４５を介してエアーバッグ２７に送り込まれて、このバック２７が膨張される。そうすると、膨張するエアーバッグ２７により手先部が下方に押されて、手の平が回転施療体２５の各施療子３５ａ〜３５ｉにカバーシート２６を介して押付けられる。この押付け力は、エアーバッグ２７の膨張の程度を調節摘み４４により手先部の厚さなどに応じて適当に選定すれば良く、その設定にしたがって適度な力で押付けられる。なお、調節摘み４４を調節すると、それに応じて排気弁４６の開度が変化して、エアーバッグ２７へのエアー供給量が調節されて、好みの程度にエアーバッグ２７を膨張できる。
【００４３】
こうしてエアーバッグ２７が膨張すると、カバーシート２６を押付ける手の平によって検出機構３８の検出軸３９がばね４０の力に抗して押し下げられるので、検出スイッチ４１がオンされる。それにより、駆動部２４のモータが動作されて、その出力回転軸３１とともに回転施療体２５が低速で回転される。
【００４４】
したがって、前記のように膨張したエアーバッグ２７が手先部を適正な力で回転台３３の施療子３５ａ〜３５ｉに押付けた状態下において、回転台３３の回転に伴って複数の施療子３５ａ〜３５ｉが手の平を刺激してマッサージすることができる。この場合、使用者は自ら手に力を入れて手の平を各施療子３５ａ〜３５ｉに押付ける必要がなく、言い換えれば、身体の緊張を伴うことなく、リラックスした状態で手の平を適正な強さで施療子３５ａ〜３５ｉに押付け維持してマッサージを受けることができる。
【００４５】
そして、このマッサージにおいては回転台３３が水平に回転される。そのため、回転台３３の回転中心からずれて配置された施療子３５ａ〜３５ｄ、３５ｆ〜３５ｉは水平に円運動をしながら、回転台３３に押付けられた手の平に対して位置を変えて、この手の平を刺激してマッサージすることができる。このように各施療子３５ａ〜３５ｄ、３５ｆ〜３５ｉを水平に円運動させて手の平に対する当たり位置を変えるので、一つ一つの施療子３５ａ〜３５ｄ、３５ｆ〜３５Ｉで手の平を広範にマッサージできる。
【００４６】
しかも、このマッサージにおいて、回転台３３の回転中心からの距離が異なる施療子３５ａ、３５ｃ、３５ｇ、３５ｉのグループと施療子３５ｂ、３５ｄ、３５ｆ、３５ｈのグループとが、夫々異なる半径で水平な円運動をして、前記のように手の平に対する当たり位置を変える。そのため、これら施療子により回転台３３に押付けられた手の平の広範な面積をまんべんなくマッサージできるので、マッサージ効果がよい。
【００４７】
なお、既述のように各施療子３５ａ〜３５ｉが高さの異なる複数の施療子を含んでいる構成とした場合には、回転台３３の回転に伴って、高さが異なる施療子が手の平に既述のように当たるので、これら高さが異なる施療子によって手の平への刺激に強弱をつけることができ、マッサージ効果をより向上できる点で優れている。
【００４８】
更に、各施療子３５ａ〜３５ｉは回転自在であるから、以上のマッサージ動作において、回転台３３の回転（公転）に伴って回転台３３及び手の平で押されているカバーシート２６との接触に従い各施療子３５ａ〜３５ｉは自転することができる。このように各施療子３５ａ〜３５ｉが回転台３３の回転（公転）に伴って自転するので、各施療子３５ａ〜３５ｉとの接触における感触を向上でき使用感がよいとともに、駆動部２４のモータに対する負荷を軽減することができる。
【００４９】
又、回転施療体２５が施療子保持板３４を備えていて、その保持孔３４ｂで各施療子３５ａ〜３５ｉを、当該保持孔３４ｂ内から外に出ないように位置決めしているので、前記マッサージ動作において、自由に回転し得る各施療子３５ａ〜３５ｉが一ヶ所に集まって偏ることを防止できる。それにより、所定のマッサージ機能を発揮させることができるとともに、各施療子３５ａ〜３５ｉ同志がぶつかり合って破損することを防止できる。
【００５０】
しかも、これら施療子３５ａ〜３５ｉはその上方に配置されたカバーシート２６で上方に動くことを妨げられているので、複数の施療子３５ａ〜３５ｉが一ヶ所に集まって相手の上に乗り上げるということがなくなり、マッサージをするのに適正な高さ位置に夫々の施療子３５ａ〜３５ｉを保持できる。このように回転施療体２５が有する各施療子３５ａ〜３５ｉの偏りを防止できるので、所定のマッサージ機能を維持できるとともに、マッサージ具２１を持ち運ぶ時等に傾けたり逆様にしても、施療子３５ａ〜３５ｉが脱落することを防止して、容易に取扱うことができる。更に、カバーシート２６を介して施療子３５ａ〜３５ｉが手の平に刺激を与えるから、回転する施療子３５ａ〜３５ｉが手の平に引っ掛ることが防止され、使用感を良くできるとともに、回転施療体２５を円滑に回転させることができる。
【００５１】
又、既述のサイクルを繰り返してマッサージが行われることにより、手の平は前記のような回転によるマッサージの他に、所定時間毎に膨張を繰り返すエアーバッグ２７によって施療子３５ａ〜３５ｉに繰り返し押付けられるので、その加圧による刺激の繰り返しに伴う指圧作用によりマッサージができる点でも優れている。
【００５２】
なお、マッサージを中断するには、電源スイッチ４３をオフすればよく、又、これに代えて手先部を引き抜くことによっても可能である。
【００５３】
図６は本発明の第２の実施の形態を示している。この実施形態は基本的には前記第１の実施の形態と同様な構成であるので、その同様構成部分には前記第１の実施の形態と同じ符号を付して、その構成および作用の説明を省略し、以下異なる部分について説明する。この実施の形態が前記第１の実施の形態と異なる部分は、回転台と施療子との相互関係である。
【００５４】
すなわち、この第２の実施の形態において、施療子１３５ａ〜１３５ｉ（なお、これらの配置は第１の実施の形態の施療子３５ａ〜３５ｉと同じであり、又、図６では一部の施療子１３５ｂ、１３５ｅ、１３５ｈのみ図示する。）は、回転台３３の上面に一体に突設されていて、これらは自転しないように設けられているとともに、この構成に基づき前記第１の実施の形態で使用した施療子保持板３４は省略してある。なお、この点以外の構成は図示されない部分を含めて前記第１の実施の形態と同じである。
【００５５】
この第２の実施の形態の構成においても、エアーバッグ２７の膨張により手の平を適正な強さで回転台３３と一体の施療子１３５ａ〜１３５ｉに押付けながら水平に回転される回転台３３の複数の施療子１３５ａ〜１３５ｉで手の平を刺激できるから、本発明の第１、第２の課題を解決できる。なお、この実施の形態において、各施療子１３５ａ〜１３５ｉは高さが異なる施療子を含んでもよく、又、回転台３３の回転中心からの距離が夫々異なる施療子を含んで良く、そのようにして実施する場合には本発明の第５の課題も解決できる。
【００５６】
なお、本発明は前記各実施の形態には制約されない。例えば前記各実施の形態ではエアー給排気装置を備えたが、これは必須のものではなく、既にエアー式のマッサージャを購入している場合には、この既存のマッサージャが備えるユニット形エアー給排気装置を利用して、それに接続して使用するアタッチメントとして実施することができる。この実施の場合には、ボディ内のエアー給排気装置が省略されることはもちろんであるが、それに代えて、既存のエアー給排気装置が有するエアーの給排気口に着脱可能に接続される接続口を有したフレキシブルなエアー給排気用の接続チューブを備えればよい。
【００５７】
又、前記各実施の形態ではトップカバーが前記筐体の背部を塞いでいるが、このカバーをコの字形状として、その開放された前後面に手などが通る抜けるようにすれば、手の平や足裏だけではなく、手足の各部に対して既述のマッサージを施すことができる。
【００５８】
又、前記各実施の形態では、結果としてエアーバッグを膨張させることに連動して回転台を回転させたが、エアーバッグを膨張させるスイッチと、回転台とを回転させるスイッチとを夫々別々に設けて、それらを手動操作できるようにしてもよい。
【００５９】
又、請求項１の発明においては、施療子を複数有してその上にセットされる被マッサージ部を支持する施療体は必ずしも回転されなくてもよく、固定して配置されるものでもよい。
【００６０】
【発明の効果】
本発明は、以上説明したような形態で実施され、以下に記載されるような効果を奏する。
【００６２】
請求項１に記載の発明によれば、繰り返し膨張・収縮するエアーバックにより被マッサージ部を適正な強さで回転台の施療子に繰り返し押付けながら回転される回転台の複数の施療子で被マッサージ部を刺激するから、意識して被マッサージ部を回転台の施療子に押付ける必要がなくなり、したがって、身体の緊張を伴うことなく被マッサージ部を適正な強さで回転台の施療子に押付けてマッサージすることができる。しかも、エアーバッグの膨張維持状態でモータの回転方向が逆となって施療子による刺激方向が交互に反転するので、よりマッサージ効果を高めることができる。更に、このマッサージにおいては、カバーシートによって、回転する複数の施療子が被マッサージ部に引っ掛ることが防止され、使用感を良くできるとともに、回転施療体を円滑に回転させることができる。
請求項２及び３に記載の発明によれば、カバーシート上に被マッサージ部がエアーバッグの膨張によって押付けられたことを検出して、回転施療体を回転させることができる。
【００６６】
請求項２〜５の発明のいずれかに従属する請求項６に記載の発明によれば、請求項２〜５のいずれかの発明の効果に加えて、各施療子を夫々異なる半径で水平に円運動させて被マッサージ部に対する当たり位置を変えることができるので、一つ一つの施療子で被マッサージ部を広範にマッサージできるとともに広範な面積を同時にまんべんなくマッサージできるので、マッサージ性能をより向上できる。
【図面の簡単な説明】
【図１】本発明の第１の実施の形態に係るマッサージ具の構成を示す斜視図。
【図２】図１に示されたマッサージ具のトップカバーを取外した状態で前側上方からみて示す斜視図。
【図３】図１に示されたマッサージ具を分解して示す斜視図。
【図４】図１に示されたマッサージ具の構成を示す縦断側面図。
【図５】（Ａ）は図１に示されたマッサージ具が備える回転台の構成を示す平面図。
（Ｂ）は同回転台の構成を示す底面図。
（Ｃ）は同回転台の構成を示す側面図。
【図６】本発明の第２の実施の形態に係るマッサージ具の構成を示す縦断側面図。
【図７】従来例に係るマッサージャの構成を一部切り欠いて示す斜視図。
【符号の説明】
２１…マッサージ具、
２４…駆動部、
２５…回転施療体、
２６…カバーシート、
２７…エアーバッグ、
２８…エアー給排気装置、
３３…回転台、
３４…施療子保持板、
３４ｂ…保持孔、
３５ａ〜３５ｉ…施療子、
３８…検出機構
３９…検出軸
４０…ばね
４１…検出スイッチ
１３５ａ〜１３５ｉ…施療子。
【図１】
0003645991.tif 000002
【図２】
0003645991.tif 000003
【図３】
0003645991.tif 000004
【図４】
0003645991.tif 000005
【図５】
0003645991.tif 000006
【図６】
0003645991.tif 000007
【図７】
0003645991.tif 000008